(57)【要約】【課題】本発明は、ファイルの閲覧が便利であるファイル管理システム及びその管理方法を提供することを目的とする。【解決手段】本発明に係るファイル管理システムは、フォルダアイコン、サブフォルダアイコン、ファイルアイコン及びサブファイルアイコンを有する記憶モジュールと、サブフォルダアイコン、ファイルアイコン及びサブファイルアイコンを読み取るための読取りモジュールと、ファイル表示層及びサブファイル表示層を確立し、且つ両者をそれぞれフォルダアイコン及びサブフォルダアイコンと、に連結させる表示制御モジュールと、第一移動命令及び第二移動命令を感知する感知モジュールと、第一移動命令に基づいて、ファイル表示層を第一方向に沿って移動出現させ、第二移動命令に基づいて、サブファイル表示層を第二方向に沿って移動出現させる操作モジュールと、を備える。【選択図】図１
2012185822.tif 000002
【特許請求の範囲】
【請求項１】
少なくとも１つのフォルダが格納されている記憶区域を有し、各々のフォルダには、少なくとも１つのサブフォルダ及び少なくとも１つのファイルが格納されており、各々のサブフォルダには、少なくとも１つのサブファイルが格納されており、各々のフォルダがこのフォルダを表示するためのフォルダアイコンを有し、各々のサブフォルダがこのサブフォルダを表示するためのサブフォルダアイコンを有し、各々のファイルがこのファイルを表示するためのファイルアイコンを有し、各々のサブファイルがこのサブファイルを表示するためのサブファイルアイコンを有する記憶モジュールと、
前記サブフォルダアイコン、前記ファイルアイコン及び前記サブファイルアイコンを読み取るための読取りモジュールと、
前記サブフォルダアイコン及び前記ファイルアイコンを有する移動可能なファイル表示層及び前記サブファイルアイコンを有する移動可能なサブファイル表示層を確立し、且つ前記ファイル表示層及び前記サブファイル表示層をそれぞれ前記フォルダアイコン及び前記サブフォルダアイコンと、に連結させる表示制御モジュールと、
前記ファイル表示層に対しての第一移動命令及び前記サブファイル表示層に対しての第二移動命令を感知する感知モジュールと、
前記第一移動命令に基づいて、前記ファイル表示層を第一方向に沿って移動出現させ、前記第二移動命令に基づいて、前記サブファイル表示層を第二方向に沿って移動出現させる操作モジュールと、
を備えることを特徴とするファイル管理システム。
【請求項２】
前記ファイル管理システムは、タッチパネルをさらに備え、
前記第一移動命令は、前記フォルダアイコン又は前記ファイル表示層を起点として、第一方向と平行する方向へ移動する操作を含み、
前記第二移動命令は、前記サブフォルダアイコン又は前記サブファイル表示層を起点として、前記第二方向と平行する方向へ移動する操作を含むことを特徴とする請求項１に記載のファイル管理システム。
【請求項３】
前記ファイル表示層は、前記第一方向と反対する第三方向に沿って復帰し、前記サブファイル表示層は、前記第二方向と反対する第四方向に沿って復帰することを特徴とする請求項１に記載のファイル管理システム。
【請求項４】
前記第一方向と前記第二方向とが垂直することを特徴とする請求項１に記載のファイル管理システム。
【請求項５】
前記ファイル表示層及び前記サブファイル表示層が透明であることを特徴とする請求項１に記載のファイル管理システム。
【請求項６】
前記ファイル表示層がスクロール可能な配列の形式によって、サブフォルダアイコン及びファイルアイコンを積層状にすることを特徴とする請求項１に記載のファイル管理システム。
【請求項７】
少なくとも１つのフォルダが格納されている記憶区域を有し、各々のフォルダには、少なくとも１つのサブフォルダ及び少なくとも１つのファイルが格納されており、各々のサブフォルダには、少なくとも１つのサブファイルが格納されており、各々のフォルダがこのフォルダを表示するためのフォルダアイコンを有し、各々のサブフォルダがこのサブフォルダを表示するためのサブフォルダアイコンを有し、各々のファイルがこのファイルを表示するためのファイルアイコンを有し、各々のサブファイルがこのサブファイルを表示するためのサブファイルアイコンを有する記憶モジュールと、読取りモジュールと、表示制御モジュールと、感知モジュールと、操作モジュールと、を備えるファイル管理システムに対してファイル管理を行う方法において、
前記読取りモジュールがサブフォルダアイコン、ファイルアイコン及びサブファイルアイコンを読み取るステップと、
前記表示制御モジュールがサブフォルダアイコン及びファイルアイコンを有する移動可能なファイル表示層及びサブファイルアイコンを有する移動可能なサブファイル表示層を確立し、且つ前記ファイル表示層及び前記サブファイル表示層をそれぞれ前記フォルダアイコン及び前記サブフォルダアイコンと、に連結させるステップと、
前記感知モジュールが前記ファイル表示層に対しての第一移動命令を感知するステップと、
前記操作モジュールが前記第一移動命令に基づいて、前記ファイル表示層を第一方向に沿って移動出現させるステップと、
前記感知モジュールが前記サブファイル表示層に対しての第二移動命令を感知するステップと、
前記操作モジュールが前記第二移動命令に基づいて、前記サブファイル表示層を第二方向に沿って移動出現させるステップと、
を含むことを特徴とするファイル管理方法。
【請求項８】
前記ファイル表示層及び前記サブファイル表示層が透明であることを特徴とする請求項７に記載のファイル管理方法。
【請求項９】
前記ファイル管理方法は、移動出現した前記ファイル表示層におけるファイルアイコン及び前記サブファイル表示層におけるサブファイルアイコンに対して交換、削除、追加等の操作を行うステップをさらに含むことを特徴とする請求項７に記載のファイル管理方法。
【発明の詳細な説明】
【技術分野】
【０００１】
本発明は、ファイル管理の分野に関し、特にファイルの閲覧が便利なファイル管理システム及びその管理方法に関するものである。
【背景技術】
【０００２】
コンピュータ、携帯電話等のような電子製品には、複数のフォルダが記憶されており、また、各々のフォルダにはサブフォルダも格納されている。使用者がフォルダの中のファイルを閲覧する時は、前記フォルダを開けるか、或いはさらにフォルダの中の前記サブフォルダを開けて、サブファイルを閲覧する。
【０００３】
しかし、前記ファイル及び前記サブファイルを同一の画面上に表示できないため、前記ファイル及び前記サブファイルを同時に閲覧することができず、不便である。
【発明の概要】
【発明が解決しようとする課題】
【０００４】
以上の問題点に鑑みて、本発明は、ファイルの閲覧が便利なファイル管理システム及びその管理方法を提供することを目的とする。
【課題を解決するための手段】
【０００５】
前記問題を解決するために、本発明に係るファイル管理システムは、少なくとも１つのフォルダが格納されている記憶区域を有し、各々のフォルダには、少なくとも１つのサブフォルダ及び少なくとも１つのファイルが格納されており、各々のサブフォルダには、少なくとも１つのサブファイルが格納されており、各々のフォルダがこのフォルダを表示するためのフォルダアイコンを有し、各々のサブフォルダがこのサブフォルダを表示するためのサブフォルダアイコンを有し、各々のファイルがこのファイルを表示するためのファイルアイコンを有し、各々のサブファイルがこのサブファイルを表示するためのサブファイルアイコンを有する記憶モジュールと、前記サブフォルダアイコン、前記ファイルアイコン及び前記サブファイルアイコンを読み取るための読取りモジュールと、前記サブフォルダアイコン及び前記ファイルアイコンを有する移動可能なファイル表示層及び前記サブファイルアイコンを有する移動可能なサブファイル表示層を確立し、且つ前記ファイル表示層及び前記サブファイル表示層をそれぞれ前記フォルダアイコン及び前記サブフォルダアイコンと、に連結させる表示制御モジュールと、前記ファイル表示層に対しての第一移動命令及び前記サブファイル表示層に対しての第二移動命令を感知する感知モジュールと、前記第一移動命令に基づいて、前記ファイル表示層を第一方向に沿って移動出現させ、前記第二移動命令に基づいて、前記サブファイル表示層を第二方向に沿って移動出現させる操作モジュールと、を備える。
【０００６】
また、前記ファイル管理システムに適用されるファイル管理方法は、読取りモジュールが、記憶モジュールにおけるサブフォルダアイコン、ファイルアイコン及びサブファイルアイコンを読み取るステップと、表示制御モジュールがサブフォルダアイコン及びファイルアイコンを有する移動可能なファイル表示層及びサブファイルアイコンを有する移動可能なサブファイル表示層を確立し、且つ前記ファイル表示層及び前記サブファイル表示層をそれぞれ前記フォルダアイコン及び前記サブフォルダアイコンと、に連結させるステップと、感知モジュールが前記ファイル表示層に対しての第一移動命令を感知するステップと、操作モジュールが前記第一移動命令に基づいて、前記ファイル表示層を第一方向に沿って移動出現させるステップと、感知モジュールが前記サブファイル表示層に対しての第二移動命令を感知するステップと、操作モジュールが前記第二移動命令に基づいて、前記サブファイル表示層を第二方向に沿って移動出現させるステップと、を含む。
【発明の効果】
【０００７】
本発明に係るファイル管理システム及びその管理方法のフォルダにおけるサブフォルダ及びファイルに対応するサブフォルダアイコン及びファイルアイコンは、積層状である。第一方向に沿って前記積層状になっている前記サブフォルダアイコン及びファイルアイコンを開けて、前記サブフォルダアイコン及び前記ファイルアイコンを表示し、第二方向に沿ってサブファイルに対応するサブファイルアイコンを移動出現させる。これらの方法によって、同一の画面上で前記ファイル及び前記サブファイルのアイコンを同時に閲覧することができ、且つ同一の画面上で前記ファイル及び前記サブファイルのアイコンの交換、削除又は追加等の操作を行うことができるため、ファイルの閲覧が便利である。
【図面の簡単な説明】
【０００８】
【図１】本発明の実施形態に係るファイル管理システムの機能ブロック図である。
【図２】本発明の実施形態に係るファイル管理方法のフローチャートである。
【図３】本発明の実施形態に係るファイル管理システムの操作の効果を示す図である。
【図４】本発明の実施形態に係るファイル管理システムの操作の他の効果を示す図である。
【図５】本発明の実施形態に係るファイル管理システムの操作の他の効果を示す図である。
【図６】本発明の実施形態に係るファイル管理システムの操作の他の効果を示す図である。
【発明を実施するための形態】
【０００９】
以下、図面に基づいて、本発明に係るファイル管理システム及びその管理方法について詳細に説明する。
【００１０】
図１を参照すると、本発明に係るファイルの閲覧が便利なファイル管理システムは、表示装置１０と、記憶モジュール１０１と、読取りモジュール１０３と、表示制御モジュール１０５と、感知モジュール１０６と、操作モジュール１０７と、を備える。本実施形態において、前記表示装置１０は、タッチパネルである。
【００１１】
前記記憶モジュール１０１は、記憶区域を有し、前記記憶区域には、少なくとも１つのフォルダが格納されている。各々のフォルダには、少なくとも１つのサブフォルダ及び少なくとも１つのファイルが格納され、各々のサブフォルダには、少なくとも１つのサブファイルが格納されている。各々のフォルダは、このフォルダを表示するためのフォルダアイコンを有し、各々のサブフォルダは、このサブフォルダを表示するためのサブフォルダアイコンを有し、各々のファイルは、このファイルを表示するためのファイルアイコンを有し、各々のサブファイルは、このサブファイルを表示するためのサブファイルアイコンを有する。前記ファイル及びサブファイルは、画像ファイル、映像ファイル、又は音声ファイル等であることができる。
【００１２】
前記読取りモジュール１０３は、前記サブフォルダアイコン、前記ファイルアイコン及び前記サブファイルアイコンを読み取る役割を果たす。
【００１３】
前記表示制御モジュール１０５は、前記サブフォルダアイコン及び前記ファイルアイコンを有する移動可能なファイル表示層及び前記サブファイルアイコンを有する移動可能なサブファイル表示層を確立し、且つ前記ファイル表示層及び前記サブファイル表示層をそれぞれ前記フォルダアイコン及び前記サブフォルダアイコンと、に連結させる。
【００１４】
本実施形態において、前記ファイル表示層及び前記サブファイル表示層は透明であり、前記ファイル表示層は、スクロール可能な配列の形式によって、サブフォルダアイコン及びファイルアイコンを積層状（例えば、フィルム状）にする。
【００１５】
前記感知モジュール１０６は、前記ファイル表示層に対しての第一移動命令及び前記サブファイル表示層に対しての第二移動命令を感知する。
【００１６】
前記第一移動命令は、前記フォルダアイコン又は前記ファイル表示層を起点として第一方向と平行する方向へ移動する操作を含み、前記第二移動命令は、前記サブフォルダアイコン又は前記サブファイル表示層を起点として、前記第二方向と平行する方向へ移動する操作を含む。前記第一方向と前記第二方向とは、垂直する。前記ファイル表示層はフォルダアイコン及び前記ファイルアイコンを附載しており、前記サブファイル表示層は前記サブファイルアイコンを附載しているため、前記ファイル表示層及び前記サブファイル表示層の移動にしたがって、前記フォルダアイコン、ファイルアイコン及びサブファイルアイコンも移動し、表示装置１０に表示される。
【００１７】
前記操作モジュール１０７は、前記第一移動命令に基づいて、前記ファイル表示層を前記第一方向に沿って移動出現させ、前記第二移動命令に基づいて、前記サブファイル表示層を前記第二方向に沿って移動出現させる。また、前記ファイル表示層は、前記第一方向と反対する第三方向に沿って復帰することができ、前記サブファイル表示層は、前記第二方向と反対する第四方向に沿って復帰することができる。
【００１８】
前記操作モジュール１０７は、前記表示装置１０に表示されているファイルアイコン及びサブファイルアイコンに対して交換、削除又は追加加等の操作を行うこともできる。
【００１９】
前記ファイルアイコン及び前記ファイルアイコンに対応する前記ファイル及びサブファイルの記憶区域によって、前記ファイルアイコン又はサブファイルアイコンをクリックすれば、前記ファイル管理システムは、前記ファイルアイコン又はサブファイルアイコンに対応する記憶区域に基づいて、相応するファイル又はサブファイルを検索して、そのファイル又はサブファイルを前記表示装置１０に表示させる。同様に、前記ファイルアイコン及びサブファイルアイコンに対して交換、削除又は追加する場合、前記ファイル管理システムは、前記ファイルアイコン及びサブファイルアイコンに対応する記憶区域に基づいて、相応するファイル及びフォルダを検索し、且つ相応するファイルとサブファイルと、に対して交換、削除又は追加を行う。
【００２０】
図２を参照すると、本発明に係るファイル管理方法は、以下のステップを含む。
【００２１】
ステップＳ２０１では、前記読取りモジュール１０３がサブフォルダアイコン、ファイルアイコン及びサブファイルアイコンを読み取る。
【００２２】
ステップＳ２０２では、前記表示制御モジュール１０５がサブフォルダアイコン及びファイルアイコンを有する移動可能なファイル表示層及びサブファイルアイコンを有する移動可能なサブファイル表示層を確立し、且つ前記ファイル表示層及び前記サブファイル表示層をそれぞれ前記フォルダアイコン及び前記サブフォルダアイコンと、に連結させる（図３を参照）。図３において、Ａはフォルダを指す。この時、前記ファイル表示層及びサブファイル表示層は隠れている。本実施形態において、前記ファイル表示層は、スクロール可能な配列の形式によって、サブフォルダアイコン及びファイルアイコンを積層状（例えば、フィルム状）にする。
【００２３】
ステップＳ２０３では、前記感知モジュール１０６が前記ファイル表示層に対しての第一移動命令を感知する。前記第一移動命令は、前記フォルダアイコン又は前記ファイル表示層を起点として第一方向と平行する方向へ移動する操作を含む。
【００２４】
ステップＳ２０４では、前記操作モジュール１０７が前記第一移動命令に基づいて、前記ファイル表示層を前記第一方向に沿って移動出現させて、前記フォルダアイコン及びファイルアイコンを表示する（図４を参照）。図４において、Ａはフォルダを指し、Ｂは前記フォルダにおけるサブフォルダに対応するサブフォルダアイコンを指し、ａは前記フォルダにおけるファイルに対応するファイルアイコンを指す。
【００２５】
ステップＳ２０５では、前記感知モジュール１０６が前記サブファイル表示層に対しての第二移動命令を感知する。前記第二移動命令は、前記サブフォルダアイコン又は前記サブファイル表示層を起点として第二方向と平行する方向へ移動する操作を含む。前記第二方向と前記第一方向とは、垂直する。
【００２６】
ステップＳ２０６では、前記操作モジュール１０７が前記第二移動命令に基づいて、前記サブファイル表示層を前記第二方向に沿って移動出現させて、前記サブファイルアイコンを表示する（図５を参照）。図５において、Ａはフォルダを指し、Ｂは前記フォルダにおけるサブフォルダに対応するサブフォルダアイコンを指し、ａは前記フォルダにおけるファイルに対応するファイルアイコンを指し、ｂは前記サブフォルダにおけるサブファイルに対応するサブファイルアイコンを指す。
【００２７】
前記ファイル表示層は、前記第一方向に沿って開けることができ、且つ前記第一方向と反対する第三方向に沿って復帰することもできる。前記サブファイル表示層は、前記第二方向に沿って移動出現することができ、且つ前記第二方向と反対する第四方向に沿って復帰することもできる。
【００２８】
前記ステップＳ２０６の後、移動出現した前記ファイル表示層におけるファイルアイコン及び前記サブファイル表示層におけるサブファイルアイコンに対して交換、削除、追加等の操作を行うことができる（図６を参照）。
【００２９】
以上のステップにより、前記フォルダにおけるファイルに対応するファイルアイコン及び前記サブフォルダにおけるサブファイルに対応するサブファイルアイコンを２つの方向で同時に前記表示装置１０に表示することができる。且つ、同一の画面上で前記ファイルアイコン及びサブファイルアイコンに対して交換、削除又は追加等の操作を行うこともできる。
【００３０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３１】
１０  表示装置
１０１  記憶モジュール
１０３  読取りモジュール
１０５  表示制御モジュール
１０６  感知モジュール
１０７  操作モジュール
【図１】
2012185822.tif 000003
【図２】
2012185822.tif 000004
【図３】
2012185822.tif 000005
【図４】
2012185822.tif 000006
【図５】
2012185822.tif 000007
【図６】
2012185822.tif 000008